(57)【特許請求の範囲】
【請求項１】
開口部を有するケース本体と、前記ケース本体の開口部を塞ぐために連設された、合成樹脂で一体成形された蓋体とを備える収納ケースにおいて、
前記蓋体は、閉蓋時にケース本体に係合又は固定するための止め部材を複動自在に取り付けるための作動部及び止め部材を案内する複動案内部を備え、
前記止め部材は、蓋体の端縁側より内方に向けてのびる作動部に複動自在に取り付けるための作動端を有する止め本体と、前記止め本体の複動方向における一端に突設された弾発部とを備え、
前記止め部材の止め本体は、前記蓋体の作動部に設けられた、蓋体からの抜けを防止するための抜脱防止部を備え、
前記抜脱防止部は、蓋体に取り付けられた止め部材が蓋体の複動案内部に沿って作動するときに、蓋体より抜け出ないように蓋体の作動部又は作動部の近傍に形成され、
前記止め部材は、蓋体の開口部の近傍に形成された取り付け口部位より、作動部に作動端を接し合うように装入して収容され、蓋体より抜けにくいように蓋体に取り付けられ、
前記止め本体は、ケース本体の開口部の近傍に設けられた止め部に係止される、収納ケース。
【請求項２】
開口部を有するケース本体と、前記ケース本体の開口部を塞ぐために連設された、合成樹脂で一体成形された蓋体とを備える収納ケースにおいて、
前記蓋体は、閉蓋時にケース本体に係合又は固定するための止め部材を摺動自在に取り付けるための摺動部及び止め部材を案内する複動案内部を備え、
前記止め部材は、蓋体の端縁より内方に向けてのびる摺動部に摺動自在に取り付けるための摺動端を有する止め本体と、前記止め本体の摺動方向における一端に突設された弾発部とを備え、
前記止め部材の止め本体は、前記蓋体の摺動部に設けられた、蓋体からの抜けを防止するための抜脱防止部を備え、
前記抜脱防止部は、蓋体に取り付けられた止め部材が蓋体の複動案内部に沿って摺動するときに、蓋体より抜け出ないように蓋体の摺動部又は摺動部の近傍に形成され、
前記止め部材は、蓋体における摺動部に続く取り付け口部位より、摺動部に摺動端を摺動させて装入して収容され、蓋体より抜けにくいように蓋体に取り付けられ、
前記止め本体が、ケース本体の開口部の近傍に設けられた止め部に係止されて、蓋体がケース本体の開口部を覆うように形成された、収納ケース。
【請求項３】
ケース本体は、平らなシート若しくは板体を折り曲げて箱状に成形され、
蓋体は、ケース本体の開口部を覆うための天部、該天部の一方端に垂設された前垂部及び該天部の他方端に垂設された後垂部を備え、且つ前記前垂部に止め部材を収納するための収容部を備え、合成樹脂により一体成型され、
ケース本体と蓋体とは、前記後垂部において開閉自在に結合された、請求項１又は請求項２に記載の収納ケース。
【請求項４】
蓋体は、手提げのためのハンドルが一方のハンドル取り付け部材及び他方のハンドル取り付け部材により、天部に取り付けられた、請求項１ないし請求項３のいずれかに記載の収納ケース。
【請求項５】
蓋体は、止め部材を案内する複動案内部を備え、
止め部材の止め本体は、複動方向に沿った作動端又は摺動端を左右端に形成され、
前記作動端又は摺動端の間においてケース本体の止め部に係止される係止端が設けられ、
前記止め部材の止め本体は、作動端又は摺動端に交差する端縁に、止め部材を押す押圧部を形成され、且つ、押圧部を形成された端縁と複動方向において離れた端縁に弾発部を形成された、請求項１ないし請求項４のいずれかに記載の収納ケース。
【発明の詳細な説明】
【技術分野】
【０００１】
この発明は、書類等を入れる収納ケースに関し、特に例えば、合成樹脂製の携帯用収納ケースに関するものである。
【背景技術】
【０００２】
収納ケースとして、弾性合成樹脂製板体を折り曲げ、直方体状に形成した収納ケースがあり、その収納ケースは、上端開口の直方体状に形成されたケース本体と、前記ケース本体の背面板上端に一体化されている蓋体とから構成されている。
【先行技術文献】
【特許文献】
【０００３】
【特許文献１】特開２００６−６９６０８号公報
【発明の概要】
【発明が解決しようとする課題】
【０００４】
この従来の収納ケースは、携帯用に用いられるもので、蓋板の天部には提げ手が付設されている。
また、蓋板を留めるための留め具が蓋板の前垂部の下側縁近所に付設され、該留め具を係止するための留め具が前面板の外表面の適宜な位置に付設されている。
この従来の収納ケースの留め具は、複数の部材から構成されており、蓋板の両面に留め具を構成する部材を添設して留め具を組み立てるように構成されている。そのために、留め具の組み立てに手数がかかり、製造コストが高くなる。
【０００５】
それゆえに、この発明の主たる目的は、より蓋体の組み立てを容易にした収納ケースを提供することである。
【課題を解決するための手段】
【０００６】
請求項１の発明にかかる収納ケースは、開口部を有するケース本体と、前記ケース本体の開口部を塞ぐために連設された、合成樹脂で一体成形された蓋体とを備える収納ケースにおいて、前記蓋体は、閉蓋時にケース本体に係合又は固定するための止め部材を複動自在に取り付けるための作動部及び止め部材を案内する複動案内部を備え、前記止め部材は、蓋体の端縁側より内方に向けてのびる作動部に複動自在に取り付けるための作動端を有する止め本体と、前記止め本体の複動方向における一端に突設された弾発部とを備え、前記止め部材の止め本体は、前記蓋体の作動部に設けられた、蓋体からの抜けを防止するための抜脱防止部を備え、前記抜脱防止部は、蓋体に取り付けられた止め部材が蓋体の複動案内部に沿って作動するときに、蓋体より抜け出ないように蓋体の作動部又は作動部の近傍に形成され、前記止め部材は、蓋体の開口部の近傍に形成された取り付け口部位より、作動部に作動端を接し合うように装入して収容され、蓋体より抜けにくいように蓋体に取り付けられ、前記止め本体は、ケース本体の開口部の近傍に設けられた止め部に係止される、収納ケースである。
請求項２の発明にかかる収納ケースは、開口部を有するケース本体と、前記ケース本体の開口部を塞ぐために連設された、合成樹脂で一体成形された蓋体とを備える収納ケースにおいて、前記蓋体は、閉蓋時にケース本体に係合又は固定するための止め部材を摺動自在に取り付けるための摺動部及び止め部材を案内する複動案内部を備え、前記止め部材は、蓋体の端縁より内方に向けてのびる摺動部に摺動自在に取り付けるための摺動端を有する止め本体と、前記止め本体の摺動方向における一端に突設された弾発部とを備え、前記止め部材の止め本体は、前記蓋体の摺動部に設けられた、蓋体からの抜けを防止するための抜脱防止部を備え、前記抜脱防止部は、蓋体に取り付けられた止め部材が蓋体の複動案内部に沿って摺動するときに、蓋体より抜け出ないように蓋体の摺動部又は摺動部の近傍に形成され、前記止め部材は、蓋体における摺動部に続く取り付け口部位より、摺動部に摺動端を摺動させて装入して収容され、蓋体より抜けにくいように蓋体に取り付けられ、前記止め本体が、ケース本体の開口部の近傍に設けられた止め部に係止されて、蓋体がケース本体の開口部を覆うように形成された、収納ケースである。
請求項３の発明にかかる収納ケースにおいては、ケース本体は、平らなシート若しくは板体を折り曲げて箱状に成形され、蓋体は、ケース本体の開口部を覆うための天部、該天部の一方端に垂設された前垂部及び該天部の他方端に垂設された後垂部を備え、且つ前記前垂部に止め部材を収納するための収容部を備え、合成樹脂により一体成型され、ケース本体と蓋体とは、前記後垂部において開閉自在に結合された、請求項１又は請求項２に記載の収納ケースである。
請求項４の発明にかかる収納ケースにおいては、蓋体は、手提げのためのハンドルが一方のハンドル取り付け部材及び他方のハンドル取り付け部材により、天部に取り付けられた、請求項１ないし請求項３のいずれかに記載の収納ケースである。
請求項５の発明にかかる収納ケースにおいては、蓋体は、止め部材を案内する複動案内部を備え、止め部材の止め本体は、複動方向に沿った作動端又は摺動端を左右端に形成され、前記作動端又は摺動端の間においてケース本体の止め部に係止される係止端が設けられ、前記止め部材の止め本体は、作動端又は摺動端に交差する端縁に、止め部材を押す押圧部を形成され、且つ、押圧部を形成された端縁と複動方向において離れた端縁に弾発部を形成され、止め部材の止め本体は、前記蓋体の作動部又は摺動部に設けられた、蓋体からの抜けを防止するための抜脱防止部を備え、前記抜脱防止部は、蓋体に取り付けられた止め部材が蓋体の複動案内部に沿って作動又は摺動するときに、蓋体より抜け出ないように蓋体の作動部若しくは摺動部又は作動部若しくは摺動部の近傍に形成された、請求項１ないし請求項４のいずれかに記載の収納ケースである。
前記止め部材の止め本体は、作動端又は摺動端が蓋体の作動部に弾接するように弾力性を有するように構成するとよい。
蓋体は、止め部材を収容するための収容部を形成され、前記収容部は、前垂部の端縁より内方に向けて面方向に蓋体を構成するシート又は板を切り欠かれて凹部を形成されてなり、前記凹部の奥に弾発部の接合する部位を形成され、間隔をおいて形成された凹部の左右端に、蓋体を形成するシート又は板の外周端縁より面方向に内方に向けてのびる作動部又は摺動部を形成され、止め部材は、前記凹部の左右端又は左右端の近傍に形成された取り付け案内部によって導かれて、収容部を構成する凹部内に収容されるように構成されるとよい。
前記止め部材の止め本体は、作動端又は摺動端の近傍に貫通孔が形成されて、蓋体の作動部又は摺動部に弾接する弾力性を備え、抜脱防止部は、蓋体に止め部材を装入する方向において、装入してゆく側の先の先端が低く、且つ、装入してゆく側における後尾が高い傾斜面を備えるとよい。
前記止め部材の止め本体は、蓋体の開口部の近傍に設けられた止め部に係止するための係止端を備え、前記係止端は、左右の作動端又は摺動端の間において、止め本体に形成された係止孔の孔縁に形成されるとよい。
【発明の効果】
【０００７】
請求項１の発明によれば、開口部を有するケース本体と、前記ケース本体の開口部を塞ぐために連設された、合成樹脂で一体成形された蓋体とを備える収納ケースにおいて、
前記蓋体は、閉蓋時にケース本体に係合又は固定するための止め部材を複動自在に取り付けるための作動部及び止め部材を案内する複動案内部を備え、前記止め部材は、蓋体の端縁側より内方に向けてのびる作動部に複動自在に取り付けるための作動端を有する止め本体と、前記止め本体の複動方向における一端に突設された弾発部とを備え、前記止め部材の止め本体は、前記蓋体の作動部に設けられた、蓋体からの抜けを防止するための抜脱防止部を備え、前記抜脱防止部は、蓋体に取り付けられた止め部材が蓋体の複動案内部に沿って作動するときに、蓋体より抜け出ないように蓋体の作動部又は作動部の近傍に形成され、前記止め部材は、蓋体の開口部の近傍に形成された取り付け口部位より、作動部に作動端を接し合うように装入して収容され、蓋体より抜けにくいように蓋体に取り付けられ、前記止め本体は、ケース本体の開口部の近傍に設けられた止め部に係止されているので、蓋体の組み立てが容易で、製造のコストダウンが図られる。
請求項２の発明によれば、開口部を有するケース本体と、前記ケース本体の開口部を塞ぐために連設された、合成樹脂で一体成形された蓋体とを備える収納ケースにおいて、  前記蓋体は、閉蓋時にケース本体に係合又は固定するための止め部材を摺動自在に取り付けるための摺動部及び止め部材を案内する複動案内部を備え、前記止め部材は、蓋体の端縁より内方に向けてのびる摺動部に摺動自在に取り付けるための摺動端を有する止め本体と、前記止め本体の摺動方向における一端に突設された弾発部とを備え、前記止め部材の止め本体は、前記蓋体の摺動部に設けられた、蓋体からの抜けを防止するための抜脱防止部を備え、前記抜脱防止部は、蓋体に取り付けられた止め部材が蓋体の複動案内部に沿って摺動するときに、蓋体より抜け出ないように蓋体の摺動部又は摺動部の近傍に形成され、  前記止め部材は、蓋体における摺動部に続く取り付け口部位より、摺動部に摺動端を摺動させて装入して収容され、蓋体より抜けにくいように蓋体に取り付けられ、前記止め本体が、ケース本体の開口部の近傍に設けられた止め部に係止されて、蓋体がケース本体の開口部を覆うように形成されているので、蓋体の組み立てが容易で製造のコストダウンが図られる。
請求項３の発明によれば、ケース本体は、平らなシート若しくは板体を折り曲げて箱状に成形され、蓋体は、ケース本体の開口部を覆うための天部、該天部の一方端に垂設された前垂部及び該天部の他方端に垂設された後垂部を備え、且つ前記前垂部に止め部材を収納するための収容部を備え、合成樹脂により一体成型され、ケース本体と蓋体とは、前記後垂部において開閉自在に結合されているので、蓋体の組み立てが容易で、製造のコストダウンが図られる。
請求項４の発明によれば、蓋体は、手提げのためのハンドルが一方のハンドル取り付け部材及び他方のハンドル取り付け部材により、天部に取り付けられているので、携帯性に優れた収納ケースを得ることをできる。
請求項５の発明によれば、蓋体は、止め部材を案内する複動案内部を備え、止め部材の止め本体は、複動方向に沿った作動端又は摺動端を左右端に形成され、前記作動端又は摺動端の間においてケース本体の止め部に係止される係止端が設けられ、前記止め部材の止め本体は、作動端又は摺動端に交差する端縁に、止め部材を押す押圧部を形成され、且つ、押圧部を形成された端縁と複動方向において離れた端縁に弾発部を形成され、止め部材の止め本体は、前記蓋体の作動部又は摺動部に設けられた、蓋体からの抜けを防止するための抜脱防止部を備え、前記抜脱防止部は、蓋体に取り付けられた止め部材が蓋体の複動案内部に沿って作動又は摺動するときに、蓋体より抜け出ないように蓋体の作動部若しくは摺動部又は作動部若しくは摺動部の近傍に形成されているので、蓋体の保型性がよい、収納ケースを得られる。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】この発明の一実施の形態である収納ケースの正面側の斜視図解図である。
【図２】図１図示収納ケースの開蓋状態における正面側斜視図解図である。
【図３Ａ】この発明の一実施の形態である収納ケースの収容部の正面図解図である。
【図３Ｂ】図３ＡのＡ−Ａ断面図解図である。
【図４】収容部の底面図解図である。
【図５】収容部の背面図解図である。
【図６】図３ＡのＢ−Ｂ断面図解図である。
【図７】図１図示収納ケースの収容部の断面図解図である。
【図８】図１図示収納ケースの止め部材の斜視図解図である。
【図９】（Ａ）は図１図示収納ケースの止め部材の正面図解図であり、（Ｂ）は図９（Ａ）のＣ−Ｃ断面図解図である。
【図１０】（Ａ）は図１図示収納ケースの止め部の正面側の斜視図解図であり、（Ｂ）は平面図解図であり、（Ｃ）は正面図解図であり、（Ｄ）は側面図解図であり、（Ｅ）は（Ｃ）のＡ−Ａ断面図解図である。
【図１１】図１図示収納ケースの止め部のケース本体への取り付け方を示す斜視図解図である。
【図１２】図１図示収納ケースの組み立て方を示す斜視図解図である。
【図１３Ａ】収容部に止め部材を取り付ける方法を示す断面図解図である。
【図１３Ｂ】収容部に止め部材を取り付ける方法を示す断面図解図である。
【図１３Ｃ】収容部に止め部材を取り付ける方法を示す断面図解図である。
【図１３Ｄ】収容部に止め部材を取り付ける方法を示す断面図解図である。
【図１４Ａ】止め部材の脱係方法を示す断面図解図である。
【図１４Ｂ】止め部材の脱係方法を示す断面図解図である。
【図１５】蓋体の閉蓋方法を示す側面図解図である。
【図１６Ａ】蓋体の閉蓋方法を示す断面図解図である。
【図１６Ｂ】蓋体の閉蓋方法を示す側面図解図である。
【図１７Ａ】蓋体の閉蓋方法を示す断面図解図である。
【図１７Ｂ】蓋体の閉蓋方法を示す側面図解図である。
【図１８Ａ】蓋体の閉蓋方法を示す断面図解図である。
【図１８Ｂ】蓋体の閉蓋方法を示す側面図解図である。
【図１９Ａ】蓋体を構成する蓋部材の正面図解図である。
【図１９Ｂ】蓋体を構成する蓋部材の平面図解図である。
【図２０】ケース本体を構成する合成樹脂製板体の平面図解図である。
【図２１Ａ】図１図示収納ケースのハンドルの蓋体への取り付け構造を示す断面図解図である。
【図２１Ｂ】図１図示収納ケースのハンドルの蓋体への取り付け構造を示す断面図解図である。
【発明を実施するための形態】
【００１０】
図１は、この発明の一実施の形態である収納ケースの正面側の斜視図解図であり、図２は、図１図示収納ケースの開蓋状態における正面側斜視図解図であり、図３Ａは、この発明の一実施の形態である収納ケースの収容部の正面図解図であり、図３Ｂは、図３ＡのＡ−Ａ断面図解図である。
この収納ケース１０は、ポリプロピレン製平板状合成樹脂製又は平板状紙製板体３０をもって直方体状に形成されたケース本体１２を備え、ケース本体１２は、正面視長方形状の前面板１４と、該前面板１４と適宜な間隔をおいて対向するように形成された正面視長方形状の背面板１６と、該前面板１４と背面板１６の間において、その下端縁に架設された平面視略長方形状の底面板１８と、該底面板１８の上部において前記前面板１４と前記背面板１６との間に形成された側面視長方形状の左右一対の襠板２０及び襠板２２とを備える。
ケース本体１２は、前記背面板１６の上端縁に連設された蓋体４０を、開口部１２ａを覆うように連設されている。
このケース本体１２は、１枚の平板状合成樹脂製板体３０を、その表面に凹設された罫線３２によって区画されてなる前面板１４、背面板１６、底面板１８、襠板２０、襠板２２を立方体状に組み立てることによって形成される。
【００１１】
蓋体４０は、ケース本体１２の開口部１２ａを塞ぐために前面板１４及び背面板１６と同一の幅に形成されたもので、底面板１８と対向し、ケース本体１２の上部を塞ぐ平面視長方形状で底面板１８と略同一形状の天部４２と、該天部４２に続いて背面板１６と対向するように下方に垂れ下がる前垂部４４と、該天部４２に続いて前面板１４と対向するように下方に垂れ下がる後垂部４６と、襠板２０の上部を覆う襠部４８と襠板２２の上部を覆う襠部５０とを備える。天部４２と前垂部４４との間においては、ダブルヒンジ部３８ａが形成され、天部４２と背面板１６の上端縁との間には折り曲げ部たるダブルヒンジ部３８ｂが形成されている。
【００１２】
ケース本体１２は、平らな合成樹脂シート若しくは板体又は平らな紙製シート若しくは板体を折り曲げて箱状に成形され、蓋体４０は、ケース本体１２の開口部１２ａを覆うための天部４２、該天部４２の一方端に垂設された前垂部４４と該天部４２の他方端に垂設された後垂部４６とを備え、且つ後述する前垂部４４に止め部材１００を収納するための収容部６０を備え、合成樹脂により一体成型されている。
そして、ケース本体１２と蓋体４０とは、前記後垂部４６において開閉自在に結合されて、収納ケース１０を構成する。
蓋体４０は、ダブルヒンジ部３８ａ及びダブルヒンジ部３８ｂ並びにヒンジ部３８ｃにおいて折り曲げて、後垂部４６の向こう側に開蓋し、又、ダブルヒンジ部３８ａ及びダブルヒンジ部３８ｂ並びにヒンジ部３８ｃにおいて折り曲げて、開口部１２ａを閉蓋する。
【００１３】
蓋体４０は、止め部材１００を収容するための収容部６０を形成されている。
前記収容部６０は、前垂部４４の端縁より内方に向けて面方向に蓋体４０を構成するシート又は板を切り欠かれて凹部を形成されてなる。
収容部６０は、その内部に止め部材１００を挿入するときの挿入口となる取り付け口７０を前垂部４４の下端縁に備え、取り付け口７０より凹部が前垂部４４の内部に向けて前垂部４４の面方向に拡がる。
【００１４】
前記収容部６０を構成する凹部は、その奥に弾発部１０４の接合する部位を形成されている。
前記収容部６０を構成する凹部は、間隔をおいて形成された凹部の左右端に、蓋体４０を形成するシート又は板の外周端縁より面方向に内方に向けてのびる作動部を構成する第１の摺動部６４及び第２の摺動部６６を形成されている。
【００１５】
止め部材１００は、蓋体４０に取り付けるときに、前記収容部６０を構成する凹部の左右端又は左右端の取り付け口７０の近傍に形成された取り付け案内部６２によって導かれて、収容部６０を構成する凹部内に収容されている。
止め部材１００は、蓋体４０の外周端縁より収容部６０の取り付け案内部６２によって、内方に向けて、蓋体４０の前垂部４４の主面に沿って導かれる。
【００１６】
蓋体４０は、蓋体４０を開閉するために止め部材１００を作動させるときに、止め部材１００を案内する複動案内部６８を備える。
複動案内部６８は、止め部材１００をケース本体１２に係止又は脱係するときに、止め部材１００を往復動するように構成されている。
【００１７】
前記蓋体４０は、閉蓋時にケース本体１２に係合又は固定するための止め部材１００を摺動自在に取り付けるための一方の第１の摺動部６４及び他方の第２の摺動部６６を設けられており、蓋体４０に設けられた一方の第１の摺動部６４及び他方の第２の摺動部６６は、それぞれ前記取り付け案内部６２及び前記複動案内部６８を構成している。
【００１８】
収容部６０は、前垂部４４の主面（表面及び裏面）より厚み方向に膨らんだ収容部領域に形成されている。収容部領域は、正面視略方形で、前垂部４４の外周端（下端縁）より内方（天部４２側）に向けて広がっている。
該収容部領域は、外面及び内面が平面状で、外面と内面とが略々平行な面で形成されている。
収容部領域は、その中央部分の下端が内側（天部４２側）に向けて凹んでおり、押圧部１２０が露出して押し入れるスペースを確保することができるように形成されている。
収容部６０を構成する凹部は、前垂部４４の厚み方向の厚さが少なくて、前垂部４４の主面の広がる方向の面が広い平面に細孔で形成されている。収容部６０を構成する細孔は、平面視略コ字型ないしはＵ字型で平面視略Ｕ字型の有底孔である。
収容部６０を構成する細孔は、前垂部４４の下端縁に形成され、取り付け口７０に続く平面状の前壁７２と、取り付け口７０に続く後壁７４と、取り付け口７０に続く左壁７６と、取り付け口７０に続く右壁７８とを備える。収容部６０を構成する細孔は、取り付け口７０に対向する奥壁７９を備える。
【００１９】
前壁７２と後壁７４とは、その面が対向し、その面が平行である。
左壁７６と右壁７８とは、その面が対向し、その面が平行である。
左壁７６は、取り付け口７０より奥側が一方の第１の摺動部６４を構成し、取り付け口７０に近い側が一方の取り付け案内部６２を構成している。右壁７８は、取り付け口７０より奥側が他方の第２の摺動部６６を構成し、取り付け口７０に近い側が他方の取り付け案内部６２を構成している。
【００２０】
左壁７６は、取り付け口７０に近い位置で取り付け案内部６２と複動案内部６８との間において、止め部材１００の押し入れる方向に直交する幅方向に凹んだ、抜脱防止部８０を形成されている。抜脱防止部８０は、止め部材１００の抜脱防止部１３０を係止するために形成されている。
右壁７８は、取り付け口７０に近い位置で取り付け案内部６２と複動案内部６８との間において、止め部材１００の押し入れる方向に直交する幅方向に凹んだ、抜脱防止部８０を形成されている。抜脱防止部８０は、止め部材１００の抜脱防止部１３０を係止するために形成されている。
抜脱防止部８０は、一方の第１の摺動部６４を構成する左壁７６及び他方の第２の摺動部６６を構成する右壁７８より凹んだ長穴であり、後述する止め部材１００の抜脱防止部１３０の移動を許容する長さを備えている。
左壁７６に形成された抜脱防止部８０は、左壁７６の壁面に直交する一方の段差８２を有し、右壁７８に形成された抜脱防止部８０は、右壁７８の壁面に直交する他方の段差８４を有している。
而して、止め部材１００の抜脱防止部１３０は、左壁７６の抜脱防止部８０の一方の段差８２及び右壁７８の抜脱防止部８０の他方の段差８４に係止されて、止め部材１００は前垂部４４の収容部６０から抜け出ない。
【００２１】
前記止め部材１００は、蓋体４０の端縁より内方に向けてのびる第１の摺動部６４及び第２の摺動部６６に摺動自在に取り付けるための第１の摺動端１１０及び第２の摺動端１１２を有する止め本体１０２と、前記止め本体１０２の摺動方向における一端に突設された弾発部１０４とを備える。
【００２２】
止め本体１０２は、平面視略々方形のブロック状に弾力性を有する合成樹脂により成形されている。
弾発部１０４は、左右一対の突起１０４ａ及び突起１０４ｂからなる。
一方の突起１０４ａと他方の突起１０４ｂとは、弾力性を有する合成樹脂により止め本体１０２と一体成形されてなり、一定の間隔をおいて対向している。
一方の突起１０４ａと他方の突起１０４ｂとは左右対称で、先端が内方に向けてわん曲している。一方の突起１０４ａと他方の突起１０４ｂとは、止め本体１０２の左端の近傍及び右端の近傍に分かれて形成されているので、左右均等な付勢力で止め本体１０２を押し戻すことができる。
【００２３】
弾発部１０４は、その先端が収容部６０の奥壁７９に接触しており、止め部材１００を、前垂部４４の内側（天部４２側）に押したときに撓む。
弾発部１０４は、止め部材１００が止め部９０と係合したとき又は止め部材１００が止め部９０との係合を解除したとき、押す力を除いた後（指を押圧部１２０より離したとき）、その弾力性により原形に復し、止め部材１００が元の位置に戻る。
【００２４】
弾発部１０４を構成する突起１０４ａ及び突起１０４ｂは、収容部６０の奥壁７９の形状（例えば直線型又は円弧型）に対応した弓形又は弧形である。一方の突起１０４ａと他方の突起１０４ｂとは、止め部材１００を前垂部４４の内方に向けて押し入れる方向に沿ってのび、その先端が根元より内側に向けて湾曲しており、先端に行くに従って近づくように構成されている。
【００２５】
前記止め部材１００の止め本体１０２は、止め部材１００が往復する複動方向に沿った作動端を構成する第１の摺動端１１０及び第２の摺動端１１２を左右端に形成されている。
一方の作動端である第１の摺動端１１０は、止め本体１０２の左側に形成され、蓋体４０の一方の第１の摺動部６４と接し、他方の作動端である第２の摺動端１１２は、止め本体１０２の右側に形成され、蓋体４０の他方の第２の摺動部６６と接する。
【００２６】
前記止め部材１００の止め本体１０２は、作動端を構成する第１の摺動端１１０及び第２の摺動端１１２が蓋体４０の第１の摺動部６４及び第２の摺動部６６に弾接するように弾力性を有する。
従って、止め部材１００を取り付け口７０から収容部６０に挿入するとき、後述する抜脱防止部１３０が内側に凹み、取り付け案内部６２を通過して収容部６０の抜脱防止部８０内に嵌まり込む。
【００２７】
前記止め部材１００の止め本体１０２は、作動端を構成する第１の摺動端１１０及び第２の摺動端１１２の近傍に貫通孔１１４及び貫通孔１１６が形成されて、蓋体４０の作動部を構成する第１の摺動部６４及び第２の摺動部６６に弾接する弾力性を備える。
【００２８】
摺動端（第１の摺動端１１０及び第２の摺動端１１２）は、止め部材１００を前垂部４４の内方に向けて押し入れる方向と並行にのびており、左側の第１の摺動端１１０と右側の第２の摺動端１１２とは平行である。
この実施の形態においては、摺動部（第１の摺動部６４及び第２の摺動部６６）は、断面Ｉ字型であるが、断面Ｔ字頭型、断面段型、断面溝型などであってもよい。
【００２９】
前記止め部材１００の止め本体１０２は、第１の摺動端１１０及び第２の摺動端１１２に交差する端縁に、止め部材１００を押す押圧部１２０を形成され、且つ、押圧部１２０を形成された端縁と複動方向において離れた端縁に弾発部１０４を形成されている。
押圧部１２０は、蓋体４０を開閉するために止め部材１００を作動させるときに、止め本体１０２を押すための部位であり、前垂部４４の取り付け口７０より若干突き出ている。
【００３０】
前記止め部材１００は、蓋体４０の第１の摺動部６４及び第２の摺動部６６に続く取り付け口７０部位より、蓋体４０の第１の摺動部６４及び第２の摺動部６６に、その第１の摺動端１１０及び第２の摺動端１１２を摺動させて装入して収容されている。止め部材１００は、蓋体４０に取り付けられた後には、蓋体４０より抜けにくいように蓋体４０に取り付けられている。
蓋体４０の第１の摺動部６４と第２の摺動部６６とは、直線状で、止め本体１０２の第１の摺動端１１０と第２の摺動端１１２との間の幅に対応する間隔をおいて対向しており、第１の摺動部６４と第２の摺動部６６との間に止め本体１０２が装入される。
止め本体１０２の第１の摺動端１１０と第２の摺動端１１２とは、互いに平行な直線状で、蓋体４０の第１の摺動部６４及び第２の摺動部６６と対向する。
【００３１】
止め部材１００の止め本体１０２は、蓋体４０の作動部を構成する第１の摺動部６４及び第２の摺動部６６を設けられた蓋体４０からの抜けを防止するための抜脱防止部１３０を備える。
前記抜脱防止部１３０は、蓋体４０に取り付けられた止め部材１００が蓋体４０の複動案内部６８に沿って作動又は摺動するときに、蓋体４０より抜け出ないように蓋体４０の作動部を構成する一方の第１の摺動部６４及び他方の第２の摺動部６６に対向する部位又は作動部を構成する一方の第１の摺動部６４及び他方の第２の摺動部６６に対向する部位の近傍において、第１の摺動部６４及び第２の摺動部６６のそれぞれに形成されている。
抜脱防止部１３０は、止め本体１０２の一方の第１の摺動端１１０及び他方の第２の摺動端１１２より外側に向けて（収容部６０に止め本体１０２を挿入する方向と直交する幅方向に向いて）突き出た凸部で形成されている。抜脱防止部１３０を構成する凸部は、止め本体１０２の幅方向に突き出ており、蓋体４０の一方の第１の摺動部６４と他方の第２の摺動部６６との間の幅より幅広い（長い）高さを備えている。
【００３２】
抜脱防止部１３０は、蓋体４０に止め部材１００を装入する方向において、装入してゆく側の先の先端が低く、且つ、装入してゆく側における後尾が高い傾斜面１３２を備えた凸部により構成されている。
而して、蓋体４０の取り付け口７０から取り付け案内部６２に止め部材１００を挿入するときに、比較的円滑に挿入できる。
抜脱防止部１３０を構成する凸部は、止め部材１００を蓋体４０の収容部６０に挿入する方向とは反対側に係止段部１３４を形成されている。
係止段部１３４は、傾斜面１３２の止め部材１００を蓋体４０の収容部６０に挿入する方向とは反対側に形成されている。
係止段部１３４からのびる傾斜面１３２の長さは、収容部６０の抜脱防止部８０を構成する長孔の長さ、すなわち止め部材１００の複動方向における長さより短く、止め部材１００を止め部９０に係止するとき又は止め部９０から脱係するときに、抜脱防止部８０の内において移動できるように構成されている。
【００３３】
止め部材１００の止め本体１０２は、前記第１の摺動端１１０及び第２の摺動端１１２の間において、ケース本体１２の止め部９０に係止される係止端１４０が設けられている。
【００３４】
前記止め部材１００の止め本体１０２は、ケース本体１２の開口部１２ａの近傍に設けられた止め部９０に係止するための係止端１４０を備える。
前記係止端１４０は、左右の作動端を構成する一方の第１の摺動端１１０及び他方の第２の摺動端１１２の間において、止め本体１０２に形成された係止孔１４２の向こう側すなわち天部４２側の孔縁に形成されている。
【００３５】
止め部９０は、止め本体１０２の係止孔１４２に嵌入される頭部９２と、頭部９２をケース本体１２の前面板１４に取り付けるための取り付け板部９４とを備える。
頭部９２は、止め部材１００の係止端１４０を挿入又は嵌入するための係止穴９２ａを開設されている。
止め部材１００の係止端１４０は、止め部材１００を係止するとき又は脱係するときに押し入れる方向とは反対側、すなわち下向きに突設されており、頭部９２の係止穴９２ａは、止め部材１００を係止するとき又は脱係するときに押し入れる方向に向けて、すなわち上側が開口している。
而して、止め部材１００を係止するとき又は脱係するときに止め部材１００を押し入れると、止め部材１００の係止端１４０は、止め部９０の頭部９２より外れる。
止め部材１００を係止するときに止め部材１００から手又は指を離したとき、止め部材１００の弾発部１０４によって付勢された止め部材１００は、元の位置に戻り、止め部材１００の係止端１４０は、止め部９０の係止穴９２ａ内に挿入又は嵌り、係止される。
【００３６】
取り付け板部９４は、その表面が平面状で、蓋体４０の前垂部４４に固定される面も平面状である。
取り付け板部９４の表面は、前垂部４４への固定される面と平行な面であり、前垂部４４の外表面と平行である。
前記止め本体１０２が、ケース本体１２の開口部１２ａの近傍に設けられた止め部９０に係止されて、蓋体４０がケース本体１２の開口部１２ａを覆うように形成されている。
止め部９０は、蓋体４０の前垂部４４をケース本体１２の前面板１４に合わせたとき、止め本体１０２の係止孔１４２が位置する部位において、前面板１４に固定されている。
【００３７】
蓋体４０は、手提げのためのハンドル５８が一方のハンドル取り付け部材５８ａ及び他方のハンドル取り付け部材５８ｂにより、天部４２に取り付けられている。
ハンドル５８を天部４２に取り付ける領域は、その他の領域より低く形成され、低背化を図っている。
特に、ハンドル取り付け部材５８ａ及び他方のハンドル取り付け部材５８ｂを天部４２に取り付ける領域は、その他の領域より低く形成されている。
【００３８】
蓋体４０は、ケース本体１２の開口部１２ａを覆うように、次のようにして取り付けられる。
ケース本体１２を構成する合成樹脂製板体３０は、前面板１４と底面板１８との間の罫線３２及び背面板１６と底面板１８との間の罫線３２において、折り曲げられて、対向させる。そして、それとともに、前面板１４と襠板２０及び襠板２２を形成するための襠板領域２０Ａ及び襠板領域２２Ａとの間の罫線３２において折り曲げられ、且つ背面板１６と襠板２０及び襠板２２を形成するための襠板領域２０Ｂ及び襠板領域２２Ｂとの間の罫線３２において折り曲げられて、箱状に組み立てられる。
【００３９】
前面板１４は、開口部１２ａ側に前面板補強１４Ａを連設され、前面板補強１４Ａとの間の罫線３２で前面板補強１４Ａを前面板１４の内側に折り曲げ且つ前面板補強１４Ａの高さ方向における略々中央において幅方向にのびるように形成された折り重ね罫線１４ａで折り曲げて重ね合わせられている。
而して、前面板１４は、開口部１２ａ側の端縁が前面板補強１４Ａにより補強されている。
【００４０】
ケース本体１２を構成する合成樹脂製板体３０の背面板１６の上部の領域に、蓋体４０を構成する後垂部４６の下部の領域を重ね合わせて、溶着する等により固着して、取り付けられる。
そして、前面板１４側の襠板領域２０Ａと背面板１６側の襠板領域２０Ｂとを重ね合わせ、且つ前面板１４側の襠板領域２２Ａと背面板１６側の襠板領域２２Ｂとを重ね合わせて、溶着する等により固着して、箱状のケース本体１２を成形する。
蓋体４０は、後垂部４６の左側において外方（左側方）に延設された襠取付片２０ａ及び襠取付片２０ｂと、後垂部４６の右側において外方（右側方）に延設された襠取付片２２ａ及び襠取付片２２ｂとを、前記したように襠板２０及び襠板２２を形成した襠板領域２０Ｂ及び襠板領域２２Ｂの開口部１２ａ側の上端縁の近傍に重ね合わせて、襠板２０及び襠板２２と固着されている。
この実施の形態においては、襠取付片２０ａは、後垂部４６との境界の罫線で内側に向けて折り曲げられ、且つ襠取付片２０ｂとの境界の罫線において折り曲げられ襠板領域２０Ｂの上端縁の手前側端より襠板領域２０Ｂの内面に重ね合わされ、挟持される。そして、襠板領域２０Ｂに突設された襠取付孔２０ｃ2及び襠取付孔２０ｄ2に、襠取付片２２ｂ又は襠取付片２２ａに突設された襠取付凸部２０ｃ1及び襠取付凸部２０ｄ1を嵌合させ、対向する襠取付片２２ａ又は襠取付片２２ｂに嵌合又は固定される。
襠取付片２２ａは、後垂部４６との境界の罫線で内側に向けて折り曲げられ、且つ襠取付片２２ｂとの境界の罫線において折り曲げられ襠板領域２２Ｂの上端縁の手前側端より襠板領域２２Ｂの内面に重ね合わされ、挟持される。そして、襠板領域２２Ｂに突設された襠取付孔２２ｃ2及び襠取付孔２２ｄ2に、襠取付片２０ｂ又は襠取付片２０ａに突設された襠取付凸部２２ｃ1及び襠取付凸部２２ｄ1を嵌合させ、対向する襠取付片２０ａ又は襠取付片２０ｂに嵌合又は固定される。
【００４１】
ダブルヒンジ部３８ａ，ダブルヒンジ部３８ｂ及びヒンジ部３８ｃは、それぞれ平行に、蓋体４０の幅方向にのびる直線状である。
後垂部４６は、ヒンジ部３８ｃにおいて折り曲げ可能で、天部４２と後垂部４６との間における後垂部４６の構成片の側端には、襠片４８ａ及び襠片５０ａを突設されている。
左側の襠片４８ａは、襠板２０の上を覆い、右側の襠片５０ａは、襠板２２の上を覆う。
【００４２】
この実施の形態においては、前垂部４４の左側及び右側の端縁近傍に高さ方向にのびる筋状膨出部が設けられているが、これは、無くてもよい。
【００４３】
この発明は、前記実施の形態に限らず、この発明の思想に基づき、種々変更することが可能である。
止め部材１００の弾発部１０４は、一方の突起１０４ａと他方の突起１０４ｂの先端がつながったＣ字状等でもよい。又、弾発部１０４は、コイル状等でもよい。
止め部材１００の係止孔１４２は、円又は楕円、台形等の異形であってもよい。
収容部６０を構成する凹部は、蓋体４０の主面より厚み方向に凹まされた凹部であってもよい。
止め部材１００は、蓋体４０の端縁側より内方に向けてのびる作動部に複動自在に取り付けるための並列された凸部ないしは凸条で形成された作動端を有する止め本体１０２と、前記止め本体１０２の複動方向における一端に突設された弾発部１０４とを備えるように構成されてもよい。
前記止め部材１００は、蓋体４０の開口部１２ａの近傍に形成された取り付け口７０部位より、蓋体４０の作動部に止め本体１０２の作動端を接し合うように、蓋体４０の収容部６０に装入して収容部６０内に収容され、蓋体４０の収容部６０より抜けにくいように蓋体４０に取り付けられるように構成されてもよい。
【符号の説明】
【００４４】
１０  収納ケース
１２  ケース本体
１２ａ  開口部
１４  前面板
１４ａ  折り重ね罫線
１４Ａ  前面板補強
１６  背面板
１８  底面板
２０，２２  襠板
２０ａ，２０ｂ，２２ａ，２２ｂ  襠取付片
２０Ａ，２０Ｂ，２２Ａ，２２Ｂ  襠板領域
２０ｃ1，２０ｄ1，２２ｃ1，２２ｄ1  襠取付凸部
２０ｃ2，２０ｄ2，２２ｃ2，２２ｄ2  襠取付孔
３０  合成樹脂製板体
３２  罫線
３８ａ，３８ｂ  ダブルヒンジ部
３８ｃ  ヒンジ部
４０  蓋体
４２  天部
４４  前垂部
４６  後垂部
４８，５０  襠部
４８ａ，５０ａ  襠片
５８  ハンドル
５８ａ，５８ｂ  ハンドル取り付け部材
６０  収容部
６２  取り付け案内部
６４  第１の摺動部
６６  第２の摺動部
６８  複動案内部
７０  取り付け口
７２  前壁
７４  後壁
７６  左壁
７８  右壁
７９  奥壁
８０，１３０  抜脱防止部
８２，８４  段差
９０  止め部
９２  頭部
９２ａ  係止穴
９４  取り付け板部
１００  止め部材
１０２  止め本体
１０４  弾発部
１０４ａ，１０４ｂ  突起
１１０  第１の摺動端
１１２  第２の摺動端
１１４，１１６  貫通孔
１２０  押圧部
１３２  傾斜面
１３４  係止段部
１４０  係止端
１４２  係止孔
【図１】
0005927210.tif 000002
【図２】
0005927210.tif 000003
【図３Ａ】
0005927210.tif 000004
【図３Ｂ】
0005927210.tif 000005
【図４】
0005927210.tif 000006
【図５】
0005927210.tif 000007
【図６】
0005927210.tif 000008
【図７】
0005927210.tif 000009
【図８】
0005927210.tif 000010
【図９】
0005927210.tif 000011
【図１０】
0005927210.tif 000012
【図１１】
0005927210.tif 000013
【図１２】
0005927210.tif 000014
【図１３Ａ】
0005927210.tif 000015
【図１３Ｂ】
0005927210.tif 000016
【図１３Ｃ】
0005927210.tif 000017
【図１３Ｄ】
0005927210.tif 000018
【図１４Ａ】
0005927210.tif 000019
【図１４Ｂ】
0005927210.tif 000020
【図１５】
0005927210.tif 000021
【図１６Ａ】
0005927210.tif 000022
【図１６Ｂ】
0005927210.tif 000023
【図１７Ａ】
0005927210.tif 000024
【図１７Ｂ】
0005927210.tif 000025
【図１８Ａ】
0005927210.tif 000026
【図１８Ｂ】
0005927210.tif 000027
【図１９Ａ】
0005927210.tif 000028
【図１９Ｂ】
0005927210.tif 000029
【図２０】
0005927210.tif 000030
【図２１Ａ】
0005927210.tif 000031
【図２１Ｂ】
0005927210.tif 000032